(57)【要約】      （修正有）【課題】今までの計測器具の欠点を少なくした、メジャー部分に板バネを用いたメジャーテープを提供する。【解決手段】板バネ目盛を用いることと、バネリール式メジャーより幅広い板バネ目盛を使う。【選択図】図０６
2014222222.tif 000002
【特許請求の範囲】
【請求項１】
板バネ目盛を持ったメジャーで、測る物に対して、メジャーテープの中央が離れるように、メジャーテープの縁が引っ付くように反っており、上面に目盛が書いてある。かつ、目盛部分が２段になっており、上段と下段では、０（ゼロ）から始まる目盛が左端と右端から付いており、かつ、上下段のの文字が上下反対であるもの。かつ、一方の端に物を引っかける金具がついているもの。
【請求項２】
板バネ目盛メジャーの端にの物を引っかけるて測るための金具に穴やくびれを付けることで、収納しやすくした物。
【請求項３】
板バネ目盛を持ったメジャーで、板バネ目盛メジャーの板バネに、縦方向（メジャーの長い方向）に直線上のくびれを掘ることによって、目盛の上から力を加えることで、目盛面が横に一直線になる板バネメジャー。
【発明の詳細な説明】
【技術分野】
【０００１】  本発明は、メジャー部分に板バネを用いることで、２００ｃｍの長い物差しでも非常に軽い。また、目盛を上下二段に描き、上の段には左端から０（ゼロ）から始まる目盛がある。下の段には右端から０（ゼロ）で始まる目盛でその字が上下逆になった物の目盛を用いることで、物の中央の位置が簡単に分かる。
すなわち、２００ｃｍの本発明のメジャーの場合、１００ｃｍのところが中央の位置である。左端の位置を上の目盛で右端を位置を下の目盛で測り、同じ数値になったら、１００ｃｍのところが中央である。
また、メジャー部分を板バネを用いることで非常に軽く、なおかつ、簡単に半分の長さにもでき、またその板バネを巻き込むことでさらににコンパクトに収納できる。
【背景技術】
【０００２】    従来は、長さを測るのは、バネリール式メジャーとか、折りたたみ式のメジャ※（［図０４］参照）とかステンレス製の物差し※［（図０５］参照）であった。
［図０１］に示すように、図の上のバネリール式メジャーが従来のメジャーである。下のメジャーが上の従来のバネリール式メジャーのメジャーテープの反りを逆にして入れたバネリール式メジャーである。すると、白い裏面に目盛を入れれば、小さな物が測れるのだが、そういうバネリール式メジャーを見たことはない。
［図０２］に示すように、図の上のバネリール式メジャーは両面に目盛が付いている従来のタイプのメジャーであり、従来のタイプのメジャーでいうメジャーの裏面で測ろうとしている図である。やはり、メジャー取り出し口に着いているＬ字型の金具がじゃまして、２０ｃｍの位の短い寸法は計りづらい。
［図０３］  従来のバネリール式メジャーは、メジャーテープの片面だけに目盛が付いている場合、上のようなものしか見たことがない。反対の面に書いてあれば、すなわち下のメジャーテープの白い部分に目盛が書いてあれば、測る物と目盛が密着するのだが。
［図０４］１ｍの長さの折りたたみ式定規だが、伸ばした時、全部がまっすぐにならないと寸法精度に大きな問題がある。
［図０５］１ｍののステンレス製物差しだが、精度は優れているのだが、重く、かつ角が角張って危なかしく、高価である。持ち運びが不便である。
［図０６］物の中央を見つける時に、よく用いる定規で、定規の真ん中から左右に０から目盛が打ってある。でも、長い寸法の物の中央は測れない。
【発明の概要】
【発明が解決しようとする課題】
【０００３】  これは次のような欠点があった。
（イ）１ｍ位の物やそれ以上の長さの物を測る時に、バネリール式メジャーを使うことが多かった。例えば、５０ｃｍ、１５０ｃｍ、７５ｃｍ、１０ｃｍをバネリール式メジャーで測ると、メジャーテープを引き出したり、巻き込んだり煩雑であるばかりでなく、バネリール式メジャーのみで１０ｃｍのものは、従来のバネリール式メジャーでは正確に測ることができない。
（ロ）［図０１］や［図０２］から、分かるように、従来のバネリール式メジャーでは測ろうとするものとメジャーテープの目盛を密着させることが難しい。
（ハ）物の長さを測る時に中央位置を出す必要があることが多い。全長を測って、２で割る。筆算をするため、手を離す。その半分の寸法をまた端から、計測しなければならない。
（ニ）１ｍ７０位の物を測ろうとすると、長い金属固定メジャーがないので、バネリール式メジャーになることが多いが、測りづらい。また、長い金属固定メジャーは精度がよく測りやすいのだが持ち運びが不便である。
本発明は、以上のような欠点をなくすためになされたものである。
【課題を解決するための手段】
【０００４】  メジャーテープの反り方向を、従来のバネリール式メジャーと反対方向にすることによって、目盛が測る部分に密着するようにした。【０００５】  本発明のメジャーは、左端は、普通の物差しのように使い上の目盛を使う。、右端の下の０（ゼロ）から始まる目盛は、物を引っかけて使う時使い、メジャーを左右逆にして使う。従来のバネリール式メジャーの使い方と同じである。【０００６】  本発明のメジャーは、弧状の板バネ※［図０９］や平たい板バネの中央を部分を削り取った板バネを使っている※［図１０］、［図１１］、［図１２］参照。本発明のメジャーは弧状や真ん中で曲がっている板状バネ板のため、力が加わらない時は、まっすぐになっている。［図０４］の物差しのように真っ直ぐにする必要がない。【０００７】  本考案のメジャーは薄い板バネを使っているので、非常に軽い。【０００８】  本考案のメジャーは、目盛が上下２段になっており、上段は左端から０（ゼロ）から始まり、下段は右端から０（ゼロ）で始まり、字が上下逆である。本考案のメジャーの２ｍの物を［図０６］、［図０７］、［図０８］で示す。こうすることで、物の中央を簡単に見つけることができる。例えば、物の左端の位置の上段の数値と右端の下段の数値が同じにすれば、真ん中の位置は１ｍの所、メジャーの真ん中がそうである。【０００９】  右端の金具を［図１３］、［図１４］、［図１５］で示すような金具を用いることで、本考案のメジャーを簡単に２に折って収納したり、巻き込んで小さく収納できる。
右端の金具の下の穴を通せば、２つ折りになり［図１７］、［図１８］。
右端の金具の上のくびれに、メジャーの板バネを押し込めば、何重にも巻き込むことができる［図１９］、［図２０］、［図２１］。巻き込んいる時に、メジャーの板バネをくびれに入れて引っ張れば、うまくメジャーの板バネが重なり合い、より小さく収納できる。
【発明の効果】
【０００１０】  （イ）メジャー板バネの反りを従来のバネリール式メジャーの反対にすることによって計測する物とメジャーテープの目盛を密着させた。
（ロ）目盛上下２段にして、左右からそれぞれ０から始まる目盛をつけ、上段と下段では字の上下の向きを逆にすることで、簡単に物の中央を見つけることができる。
（ニ）メジャーに板バネを用いることで、軽く、曲げることで小さく収納できる
（ホ）平たい板バネの縦にくびれを掘り、それを力を加えない時には、平面でないように加工する。目盛上からの力を加えることで簡単にその溝部分で変形するこができ、よって、少ない力で、真っ直ぐな面が現れる板バネ目盛を作ることで、板バネ目盛の横の幅も計測に使うことができる。
【図面の簡単な説明】
【００１１】
【図０１】  写真の上側のがバネリール式メジャーが従来のもので、下側のバネリール式メジャーはメジャーテープ面を表裏逆にしたもの。
【図０２】  写真の上側のが両面目盛が付いているバネリール式メジャーの従来のもので、下側のバネリール式メジャーはメジャーテープ面を裏表逆にしたもの。
【図０３】  メジャーテープの反り方を示した写真。下に反っているのと上に反っているを示している。
【図０４】  折りたたみ式メジャー。
【図０５】  ステンレス製の１ｍの物差し。
【図０６】  本考案のメジャーの左端部分でメジャーテープの中央部分が上に反っている。
【図０７】  本考案のメジャーの中央部分。中央部分が上に反っている。
【図０８】  本考案のメジャーの右端部分で右端の金具付いていない状態で、その右端部分の２つ穴は、右端の金具※［図１３］、［図１４］、［図１５］の物とひっつけるためのピン穴。［図１５］の穴にあわせて、ピンでメジャーテープの右端部分の先端と右端の金具を固定する。メジャーテープ部分は中央部分が上に反っている。
【図０９】  弧状の板バネで、上に目盛が書かれている。
【図１０】  力が加わっていない時の板状の板バネ目盛、上面に目盛がある。
【図１１】  上図の角度がついている、中央部分の拡大図。
【図１２】  力が真ん中に加わると、［図１０］、［図１１］の板バネが平面になる様子。
【図１３】  本考案のメジャーの右端の金具。
【図１４】  右端の金具の横から見た図。
【図１５】  右端の金具の上から見た図。
【図１６】  右端の金具と板バネ目盛が引っ付いたもの。
【図１７】  右端の金具の下の穴に入れて、板バネ目盛を半分の長さにしたもの。
【図１８】  右端の金具に板バネ目盛が、左端メジャーの先が下の穴に入っている拡大図。
【図１９】  右端の金具の上の穴に板バネ目盛を差し込んでいる様子。３重に巻き込んだ様子。
【図２０】  右端の金具の上の穴に板バネ目盛を差し込んでさらに８，９重に巻き込んだ様子
【図２１】  右端の金具に何枚もの板バネ目盛が入っている拡大図。
【発明の実地するための形態】
【００１２】  以下、発明の実地するための形態について説明する。
本考案のメジャーは、板バネに目盛がついている。
上下二段に目盛が付いており、上と下では左右逆方向から、０（ゼロ）から始まる目盛が付いている。さらに上段と下段では目盛の数字が書き方が上下逆になっている。
左端には、何も金具は着いていないが、右端には物を引っかける金具がある。その金具に板バネ目盛部分の面に対して上の部分と下の部分にくびれや穴を作ることで、収納しやすくした金具を有する。
【図０１】
2014222222.tif 000003
【図０２】
2014222222.tif 000004
【図０３】
2014222222.tif 000005
【図０４】
2014222222.tif 000006
【図０５】
2014222222.tif 000007
【図０６】
2014222222.tif 000008
【図０７】
2014222222.tif 000009
【図０８】
2014222222.tif 000010
【図０９】
2014222222.tif 000011
【図１０】
2014222222.tif 000012
【図１１】
2014222222.tif 000013
【図１２】
2014222222.tif 000014
【図１３】
2014222222.tif 000015
【図１４】
2014222222.tif 000016
【図１５】
2014222222.tif 000017
【図１６】
2014222222.tif 000018
【図１７】
2014222222.tif 000019
【図１８】
2014222222.tif 000020
【図１９】
2014222222.tif 000021
【図２０】
2014222222.tif 000022
【図２１】
2014222222.tif 000023